(57)【特許請求の範囲】
【請求項１】
吐水管と、該吐水管の先端に設けられた、吐水口を有する吐水ヘッドとを備えた水栓器具において、
前記吐水管の先端側の一部を前記吐水ヘッドとともに吐水管の本体部から引出し可能な引出部となして、該引出部を該吐水管の本体部に対してその内部に出入り可能に組み合せ、該引出部に複数の射水孔を該吐水管の管軸に沿って列状に形成して、該引出部の引出し時に該複数の射水孔を外部に露出させて該複数の射水孔から滝状吐水を行わせるようになすと共に、前記吐水口からの吐水と該複数の射水孔からの滝状吐水とを択一的に切り換える切換手段を設けたことを特徴とする水栓器具。
【請求項２】
請求項１に記載の水栓器具において、前記吐水ヘッドの内部に前記吐水口に連通する第一水路を形成するとともに、前記引出部の内部に前記複数の射水孔に連通する、該第一水路とは独立した第二水路を形成し、更に前記吐水管の本体部の水路と該第一水路又は第二水路とを前記引出部の引出し・戻し動作に連動して択一的に連通させ又は遮断する弁部を設けて、それら第一水路，引出部，第二水路及び弁部により前記切換手段を構成したことを特徴とする水栓器具。
【発明の詳細な説明】
【０００１】
【発明の属する技術分野】
この発明は水栓器具に関し、特に食器洗い等に好適な水栓器具に関する。
【０００２】
【従来の技術】
キッチン用，洗面用その他用途の水栓器具として、従来図５に示すような形態の水栓器具が多く用いられている。
同図に示す水栓器具はシングルレバー式水栓器具であって、２００はキッチンカウンター上面，洗面カウンター上面等の取付面２０２から起立する状態で設けられた水栓本体で、その上部に操作レバー２０４が回転操作可能に設けられている。
【０００３】
水栓本体２００からは吐水管２０６が延び出していて、その吐水管２０６の先端に吐水口２０８が設けられ、操作レバー２０４の操作によってその吐水口２０８から吐水が行われるようになっている。
【０００４】
【発明が解決しようとする課題】
しかしながらこの種従来の水栓器具の場合、吐水口２０８からの吐水範囲が狭いために、特に食器類を洗う際に使い勝手が必ずしも十分でなかった。
例えば皿を洗う際、皿に対して吐水口２０８からの吐水が当たる部分が狭い範囲であるために、皿全体を洗うためにはこれを前後，左右に大きく動かす必要があり、皿洗いに手間，時間が掛るとともに、場合によって皿を前後，左右に動かしているときに誤って皿を吐水口やシンク等に当ててしまい、皿を傷付けてしまったり或いは割ってしまったりするなどの不都合を生じていた。
【０００５】
【課題を解決するための手段】
本願の発明の水栓器具はこのような課題を解決するために案出されたものである。
而して請求項１のものは、吐水管と、該吐水管の先端に設けられた、吐水口を有する吐水ヘッドとを備えた水栓器具において、前記吐水管の先端側の一部を前記吐水ヘッドとともに吐水管の本体部から引出し可能な引出部となして、該引出部を該吐水管の本体部に対してその内部に出入り可能に組み合せ、該引出部に複数の射水孔を該吐水管の管軸に沿って列状に形成して、該引出部の引出し時に該複数の射水孔を外部に露出させて該複数の射水孔から滝状吐水を行わせるようになすと共に、前記吐水口からの吐水と該複数の射水孔からの滝状吐水とを択一的に切り換える切換手段を設けたことを特徴とする。
【０００６】
請求項２のものは、請求項１に記載の水栓器具において、前記吐水ヘッドの内部に前記吐水口に連通する第一水路を形成するとともに、前記引出部の内部に前記複数の射水孔に連通する、該第一水路とは独立した第二水路を形成し、更に前記吐水管の本体部の水路と該第一水路又は第二水路とを前記引出部の引出し・戻し動作に連動して択一的に連通させ又は遮断する弁部を設けて、それら第一水路，引出部，第二水路及び弁部により前記切換手段を構成したことを特徴とする。
【０００７】
【作用及び発明の効果】
上記のように請求項１の水栓器具は、吐水管に且つ吐水口よりも基端側の部位である引出部に、滝状に吐水を行うための複数の射水孔を吐水管の管軸に沿って列状に設けたもので、この水栓器具の場合、それら複数の射水孔から管軸方向に沿って広い範囲に亘り滝状に吐水を行うことができる。
【０００８】
従ってこの請求項１の水栓器具によれば、特に食器洗い等を行う際にこれを容易且つ速やかに行うことができる。
例えば皿を洗う際に複数の射水孔から滝状吐水を行わせつつ皿をその吐水管の管軸と直角方向に移動させ、滝状吐水の下を通過させることで、簡単に皿洗いを行うことができる。
【０００９】
即ちこの請求項１の水栓器具によれば、皿等を洗うに際してこれを前後，左右に大きく移動させる必要が無くなるのであり、従って皿を大きく前後，左右に移動させている間に誤ってこれを周辺の水栓器具やシンクその他の部材に当ててしまって、これを傷付けたり或いは割ってしまうといった不都合を解消することができる。
【００１０】
この請求項１では、上記複数の射水孔からの滝状吐水と吐水管先端の吐水口からの本来の吐水とを択一的に切り換える切換手段を設けており、この水栓器具の場合、目的に応じて滝状吐水と吐水口からの整流吐水とを使い分けることができ、水栓器具を使い勝手良く使用することができる。
【００１１】
また請求項１のものは、吐水管の先端側の一部を吐水ヘッドとともに引出し可能となして、その引出部に複数の射水孔を形成し、そしてその引出部の引出し時に複数の射水孔から滝状吐水を行うようになしたもので、この水栓器具の場合、吐水ヘッドを前方に引き出すことで複数の射水孔からの滝状吐水を行わせることができる。
【００１２】
ここで引出部は吐水管の本体部に対してその内部に出入り可能に組み合せてあり、引出部の引出し時に射水孔を外部に露出させて滝状吐水を行わせる。この水栓器具の場合、引出部を吐水ヘッドとともに押し込んだとき、複数の射水孔を吐水管の本体部内に収めておくことができる。即ち複数の射水孔を本体部の内部に隠蔽状態としておくことができる。
【００１３】
これにより吐水管周りの美観を良好となすことができるとともに、滝状吐水の停止後において複数の射水孔から水滴が引き続き落下したり或いは外部に露出した射水孔にゴミ等の異物が詰まるのを防止できる。
【００１４】
請求項２のものは、請求項１の水栓器具において、上記吐水ヘッドの内部に吐水口に連通する第一水路を、また引出部の内部にその第一水路と独立した、複数の射水孔に連通する第二水路を形成し、そして吐水管の本体部の水路とそれら第一水路又は第二水路を択一的に連通させ又は遮断する弁部を設けて、それら第一水路，引出部，第二水路及び弁部により上記切換手段を構成したもので、このようにすれば、吐水口からの吐水と射水孔からの滝状吐水とを切り換える切換手段を簡単な構造で容易に構成することができる。
【００１５】
【実施例】
次に本発明の実施例を図面に基づいて詳しく説明する。
図１は本実施例の水栓器具（シングルレバー式混合水栓）を示したもので、同図（Ａ）中１０はキッチンカウンター上面，洗面カウンター上面等の取付面１２から起立する状態に設けられた水栓本体で、１４はその水栓本体１０に設けられた操作レバーである。
この水栓器具の場合、操作レバー１４を左右に回転操作することで吐水温度が調節され、また上下に回転操作することで吐水と止水及び水量調節が行われるようになっている。
【００１６】
１６はほぼ水平方向に延び出した吐水管であって、その先端部に吐水口１８を有する吐水ヘッド２０が設けられている。
吐水管１６は本体部２２と引出部２４とを有しており、この引出部２４の先端部に上記吐水ヘッド２０が一体移動状態に固定されている。
この例の水栓器具の場合、吐水管１６が引出部２４を本体部２２から引き出した状態（図１（Ａ））と本体部２２内部に押し込んだ状態（同図（Ｂ））との間で伸縮可能とされている。
【００１７】
尚、吐水管１６の基端部には支柱管２６が設けられており、この支柱管２６の水栓本体１０への出入りによって、吐水管１６全体が上下に移動可能とされている。即ちこの例の水栓器具の場合、吐水管１６がリフトアップ可能とされている。
【００１８】
図２に示しているように、引出部２４にはその下面において多数の射水孔２８が引出部２４の管軸方向に、即ち吐水管１６の管軸方向に列状に形成されており、それら射水孔２８から吐水管１６の管軸方向に広い範囲に亘って滝状吐水を行うようになっている。
【００１９】
即ちこの引出部２４は管状を成していて、内部に複数の射水孔２８に連通する水路（第二水路）３０が形成されており、この水路３０に導入された水が、上記複数の射水孔２８から下向きに滝状吐水されるようになっている。
【００２０】
一方上記吐水ヘッド２０の内部には、吐水口１８に連通する、上記水路３０とは独立した別の水路（第一水路）３２が形成されており、この水路３２に導かれた水が、吐水ヘッド２０の下向きの吐水口１８から単一流束として整流吐水されるようになっている。
【００２１】
上記吐水管１６の内部には管状部３４が設けられていて、その管状部３４の内周側に、吐水管１６内部、詳しくは本体部２２内部の水路３６から分岐した形態の第一の分岐水路３８が形成されている。
この管状部３４の外周面には、上記引出部２４の内周面がパッキン４０を介して水密に且つ管軸方向に摺動可能に嵌合されている。即ち引出部２４がほぼ全体的に管状部３４に外嵌した状態の引込位置と管状部３４から突き出した突出位置との間で出入り可能とされている。
【００２２】
上記管状部３４の先端は開口部４２とされており、引出部２４の引出しによって管状部３４の内部の分岐水路３８と引出部２４内部の水路３０とが連通させられるようになっている。
【００２３】
吐水ヘッド２０には、この開口部４２に対応して弁部４４が突出状態で設けられており、図２（Ａ）に示しているように引出部２４を吐水ヘッド２０とともに本体部２２内部に押し込んだときにその弁部４４が開口部４２にパッキン４６を介して嵌合し、その開口部４２を閉塞するようになっている。
【００２４】
吐水管１６の本体部２２には、また、隔壁部４８が設けられており、この隔壁部４８により、本体部２２の内部に第二の分岐水路５０とその先端の開口部５２とが形成されている。
【００２５】
図３はこの開口部５２周辺部を拡大して示したもので、図示のように開口部５２には弁座５４と、この弁座５４に対しパッキン５６を介して当接し、開口部５２を閉鎖する弁体（弁部）５８が設けられている。
【００２６】
弁体５８はスプリング６０によって常時図中右向きに弾発されており、引出部２４が引き出された状態では、同図（Ｂ）に示しているようにそのスプリング６０の弾発力によって弁体５８が弁座５４に当接し、開口部５２を閉鎖した状態となる。
【００２７】
上記吐水ヘッド２０には、第二の分岐水路５０側の開口部５２に対応する位置において小径の管部６２が設けられており、引出部２４の押込み時にこの管部６２が、図３（Ａ）に示しているように弁体５８の対応する筒部６４に当接して弁体５８をスプリング６０の弾発力に抗して弁座５４から離間させるとともに、自身がパッキン６６を介して開口部５２に水密に嵌り合うようになっている。
尚、筒部６４にはその内外を連通させる連通孔７０が形成されている。
【００２８】
即ち引出部２４を吐水管１６の本体部２２内部に押し込んだときに、この吐水ヘッド２０の小径の管部６２を介して本体部２２側の分岐水路５０と吐水ヘッド２０側の水路３２とが連通するようになっている。
【００２９】
このとき、吐水ヘッド２０側の弁部４４は、図２（Ａ）に示しているように別の第一の分岐水路３８側の開口部４２にパッキン４６を介して水密に嵌合し、同開口部４２を閉鎖した状態となる。
【００３０】
尚、本例において管状部３４，開口部４２，引出部２４はそれぞれ円形を成しており、その引出部２４が吐水ヘッド２０とともに図２（Ｂ）中矢印で示しているように回転可能とされている。
これにより射水孔２８からの滝状吐水，吐水口１８からの整流吐水の向きを変化させ得るようになっている。
【００３１】
本例の水栓器具の場合、引出部２４を吐水ヘッド２０とともに押し込んだ状態の下では、吐水管１６の本体部２２内部の水路３６が第二の分岐水路５０及び吐水ヘッド２０側の水路３２を通じて吐水口１８に連通した状態となり（このとき引出部２４内部の水路３０及び射水孔２８は水路３６に対して遮断された状態となる）、吐水管１６の本体部２２内部に送られた水が、図１（Ｂ）に示しているように吐水ヘッド２０の吐水口１８からのみ１本の水流束として整流吐水される。
【００３２】
一方図２（Ｂ）に示しているように引出部２４を吐水ヘッド２０とともに引き出した状態の下では、吐水ヘッド２０の吐水口１８と本体部２２内部の第二の分岐水路５０とは遮断状態、且つ引出部２４内部の水路３０及び射水孔２８が第一の分岐水路３８を介して水路３６と連通した状態となり、従って水路３６内の水が引出部２４内部の水路３０を通じて複数の射水孔２８から下向きに滝状吐水される。
【００３３】
本例の水栓器具の場合、引出部２４を吐水ヘッド２０とともに引き出すことによってその引出部２４に列状に形成した複数の射水孔２８から管軸方向に沿って広い範囲に亘り滝状に吐水を行うことができるため、特に皿等食器洗い等を行う際にこれを容易且つ速やかに行うことができる。
【００３４】
その際皿等を前後，左右に大きく移動させる必要が無く、従って皿を大きく前後，左右に移動させている間に誤ってこれを周辺の水栓器具やシンクその他の部材に当ててしまって、これを傷付けたり或いは割ってしまうといった不都合を生じない。
【００３５】
一方で本例の水栓器具の場合、引出部２４を吐水ヘッド２０とともに押し込むことによって、本来の吐水口１８から整流吐水を行うことができる。
【００３６】
而して本例の水栓器具の場合、上記複数の射水孔２８からの滝状吐水と吐水口１８からの吐水とを単に吐水ヘッド２０の押込み・引出しによって択一的に切り替えることができ、簡単な操作で射水孔２８からの滝状吐水と吐水口１８からの整流吐水とを切換操作することができる。
【００３７】
また本例の水栓器具の場合、引出部２４を吐水ヘッド２０とともに押し込んだとき、複数の射水孔２８を吐水管１６の本体部２２内部に収めておくことができ、それら射水孔２８を本体部２２の内部に隠蔽状態とすることができる。
【００３８】
これにより吐水管１６周りの美観を良好となすことができるとともに、滝状吐水の停止後において複数の射水孔２８から水滴が引き続き落下したり、或いは外部に露出した射水孔２８にゴミ等の異物が詰まるといったことを防止できる。
【００３９】
図４は参考例を示している。
この例において、吐水管１６の本体部２２は先端閉鎖形状を成しており、その本体部２２に対して、同じく先端閉鎖形状を成す管状の引出部２４が管軸方向に引出し・押込み可能に外嵌されている。
【００４０】
ここで本体部２２には、その先端部近傍に下向きの開口部７２が形成されている。
一方吐水ヘッド２０と一体を成す引出部２４には、下面側の管壁７４の下側に函体部７６が形成されており、その函体部７６の下面に複数の射水孔２８が吐水管１６の管軸方向に沿って列状に形成されている。
【００４１】
上記吐水ヘッド２０には開口部７８に続いて吐水口１８に連通する水路３２が、また引出部２４には開口部８０に続いて函体部７６内部に水路３０がそれぞれ形成されており、そしてそれら水路３２と３０とが仕切部８２にて区画されている。
ここで仕切部８２は、内周面が本体部２２の外周面に水密且つ摺動可能に当接されている。
【００４２】
この仕切部８２は、図４（Ａ）に示しているように引出部２４の押込み時に本体部２２の開口部７２より基端側に位置して開口部７２を水路３２に連通させ、また同図（Ｂ）に示しているように引出部２４の引出し時に開口部７２より前端側に位置して開口部７２と水路３０とを連通させるようにその形成位置が定められている。
【００４３】
この例の水栓器具の場合、図４（Ａ）に示しているように引出部２４を押し込んだ状態で本体部２２内部の水路３６と吐水口１８とが連通した状態となり、本体部２２内部の水路３６を通じて送られた水が吐水口１８から１本の整流束として吐水される。
【００４４】
また一方、引出部２４を同図（Ｂ）に示しているように引き出したとき、本体部２２内部の水路３６を送られて来た水が水路３０側へと導かれ、複数の射水孔２８から滝状吐水される。
【００４５】
この例の水栓器具においても、引出部２４を引出し又は押込み操作するだけで、簡単に吐水口１８からの整流吐水と射水孔２８からの滝状吐水とに切り換えることができる。
尚この例においても、吐水管１６の本体部２２及び引出部２４を断面円形状と成しておき、引出部２４を回転運動させるようになすこともできる。
【００４６】
以上本発明の実施例を詳述したがこれはあくまで一例示であり、本発明はその主旨を逸脱しない範囲において種々変更を加えた形態で構成可能である。
【図面の簡単な説明】
【図１】  本発明の一実施例である水栓器具を示す図である。
【図２】  図１における水栓器具の要部を拡大して示す図である。
【図３】  図２に示す要部の一部を更に拡大して示す図である。
【図４】  参考例の水栓器具を示す図である。
【図５】  従来の水栓器具の例を示す図である。
【符号の説明】
１６  吐水管
１８  吐水口
２０  吐水ヘッド
２２  本体部
２４  引出部
２８  射水孔
３０  水路（第二水路）
３２  水路（第一水路）
３６  水路
４４  弁部
５８  弁体（弁部）
７２  開口部
８２  仕切部
【図１】
0003764592.tif 000002
【図２】
0003764592.tif 000003
【図３】
0003764592.tif 000004
【図４】
0003764592.tif 000005
【図５】
0003764592.tif 000006